(57)【要約】【課題】パネル支持片を梁部材に作業性よく取付けでき、しかもルームでの清浄性を向上させるようにする。【解決手段】ルーム天井に吊り下げられ、格子状に組まれる梁部材と、梁部材の両側面に着脱可能に取付けられるパネル支持片４０とを備える。梁部材は、両側面に長手方向に沿って設けられたパネル支持片取付用の円弧状をした取付け溝１４を有し、取付け溝１４が開口１４ａを内奥部よりも狭くして形成されている。パネル支持片４０は、取付け溝１４に取付けられる断面概略円弧状の取付部４１が、一端側の縁に沿って設けられ、取付部４１がその曲率半径を取付け溝１４の内奥部の曲率半径とほぼ同一に、かつ取付部４１の一部外周にその長手方向に沿って開口１４ａを通すための切欠き部４２が形成されている。【選択図】　　　図８
2004003253.tif 000002
【特許請求の範囲】
【請求項１】
天井パネルの縁部を支持するための天井パネル用支持構造であって、
ルーム天井に吊り下げられ、格子状に組まれる梁部材と、該梁部材の両側面に着脱可能に取付けられ、上記天井パネルの縁部を支持するパネル支持片とを備え、
上記梁部材は、上記両側面に長手方向に沿って設けられたパネル支持片取付用の円弧状をした取付け溝を有し、該取付け溝が開口を内奥部よりも狭くして形成されており、
上記パネル支持片は、上記取付け溝に取付けられる、断面が概略円弧状をした取付部が、一端側の縁に沿って設けられたものであり、該取付部がその曲率半径を上記取付け溝の内奥部の曲率半径とほぼ同一に、かつ取付部の一部外周にその長手方向に沿って上記開口を通すための切欠き部が形成されていることを特徴とする天井パネル用支持構造。
【請求項２】
前記パネル支持片は、天井パネルの縁部を支持する水平な第１姿勢と、取付け取外しを可能とする第２姿勢とにわたり揺動可能に梁部材の取付け溝に取付けられるもので、前記切欠き部は、上記第２姿勢のときに、取付部の曲率中心と切欠き部を通る直径方向と、前記開口の幅方向両縁部を結ぶ線分方向とが、ほぼ平行となるような位置に設けられていることを特徴とする請求項１に記載の天井パネル用支持構造。
【請求項３】
前記切欠き部は、前記第１姿勢のとき、前記開口から露出する位置に設けられていることを特徴とする請求項２に記載の天井パネル用支持構造。
【発明の詳細な説明】
【０００１】
【発明の属する技術分野】
本発明は、半導体製造工場等で採用されるクリーンルームなどに用いられ、天井パネルの縁部を支持するための天井パネル用支持構造に関する。
【０００２】
【従来の技術】
上述した天井パネル用支持構造として、多数の同一に形成された長尺の梁部材を各種ジョイントにて連結することで構成されるものが知られている。そして、上記梁部材は、一般的に、押出し成形または引抜き成形により断面同一に形成されており、その一部として、天井パネルの縁部を支持する水平張出し部または段差部が一体的に設けられている。
【０００３】
【発明が解決しようとする課題】
ところで、梁部材に設けられた水平張出し部または段差部は、成形加工性の点で水平方向の幅寸法を大きくとることが困難なため、天井パネルの縁部の支持状態を確実に支持させようとすると、梁部材とは別途成形したパネル支持片を梁部材にビス等を用いて取付ける必要性があり、また、ビス止め等を要する箇所が多数である故に、その取付け作業に長時間を要するという難点があった。また、ビス止め等にて取付けを行う場合には、ビス止め等に伴う切り屑が発生してクリーンルームの清浄性が低下する虞があった。
【０００４】
本発明は、このような従来技術の課題を解消するためになされたもので、パネル支持片を梁部材に作業性よく取付けでき、しかもルームでの清浄性を向上させることができる天井パネル用支持構造を提供することを目的とする。
【０００５】
【課題を解決するための手段】
本発明の天井パネル用支持構造は、天井パネルの縁部を支持するための天井パネル用支持構造であって、ルーム天井に吊り下げられ、格子状に組まれる梁部材と、該梁部材の両側面に着脱可能に取付けられ、上記天井パネルの縁部を支持するパネル支持片とを備え、上記梁部材は、上記両側面に長手方向に沿って設けられたパネル支持片取付用の円弧状をした取付け溝を有し、該取付け溝が開口を内奥部よりも狭くして形成されており、上記パネル支持片は、上記取付け溝に取付けられる、断面が概略円弧状をした取付部が、一端側の縁に沿って設けられたものであり、該取付部がその曲率半径を上記取付け溝の内奥部の曲率半径とほぼ同一に、かつ取付部の一部外周にその長手方向に沿って上記開口を通すための切欠き部が形成されていることを特徴とする。
【０００６】
この天井パネル用支持構造にあっては、パネル支持片の一端側に設けられた取付部は、断面概略円弧状に形成されていると共に、その一部外周に長手方向に沿って、上記梁部材に設けられた円弧状をした取付け溝の開口を通すための切欠き部が形成されている。このため、切欠き部を通る直径部分は、他の直径部分よりも短く、その短い直径部分を利用して取付け溝の開口を通すことが可能となる。そして、通した後は、長さが長い他の直径部分を利用することで、取付け溝の開口よりも広い内奥部に、パネル支持片の取付部を保持させ得る。このとき、取付部の曲率半径と取付け溝の内奥部の曲率半径とがほぼ同一であるので、パネル支持片を揺動させることに支障がない。よって、パネル支持片の取付部に設けた切欠き部を利用して取付け溝の開口を通すことで、パネル支持片の取付部を梁部材の取付け溝に支持させ得るので、パネル支持片を梁部材に作業性よく取付けでき、しかもクリーンルームなどでの清浄性を向上させることができる。
【０００７】
かかる取付け作業を可能とする構成は、請求項２のような構成、つまり前記パネル支持片は、天井パネルの縁部を支持する水平な第１姿勢と、取付け取外しを可能とする第２姿勢とにわたり揺動可能に梁部材の取付け溝に取付けられるもので、前記切欠き部は、上記第２姿勢のときに、取付部の曲率中心と切欠き部を通る直径方向と、前記開口の幅方向両縁部を結ぶ線分方向とが、ほぼ平行となるような位置に設けられている構成とすればよい。
【０００８】
本発明の天井パネル用支持構造において、前記切欠き部は、前記第１姿勢のとき、前記開口から露出する位置に設けられている構成とすることができる。
【０００９】
この構成にあっては、天井パネルの縁部を支持する第１姿勢のとき、切欠き部が開口から露出する位置となるので、つまり梁部材の円弧状をした取付け溝の内部には、取付部の円弧状部分が支持されることとなるので、取付け溝と取付部の接触面積を大きくでき、それに伴い、取付け溝が取付部を保持できる強度を増大化させることが可能となるからである。
【００１０】
【発明の実施の形態】
以下、本発明の実施形態を具体的に説明する。
【００１１】
（第１実施形態）
図１は第１実施形態に係る天井パネル用支持構造を適用する梁構造の連結部分を示す断面図であり、図２はその梁構造の組立状態を説明するための図（斜視図）である。なお、図２は一方の連結部分を示している。
【００１２】
この梁構造１は、クリーンルームの天井に採用されていて、天井パネル２の縁部を支持するものであり、天井に吊り下げられて並設される主梁部材１０と、その主梁部材１０の隣り合うもの同士に両端部が連結される副梁部材２０と、その副梁部材２０にスライド可能に取付けられ、副梁部材２０の両端部から外方に突出させることで上記主梁部材１０との結合に用いられる連結棒３０とを有する。
【００１３】
図３は主梁部材１０を示す斜視図で、図４（ａ）は図３の主梁部材１０の左端面を示す側面図、図４（ｂ）はその主梁部材１０の下部部分Ａを拡大して示す側面図である。
【００１４】
主梁部材１０は、図４（ａ）に示す左右対称の断面形状を全長にわたり有するとともに長手方向の両端面が凹凸の無い平面的な長尺のもので、例えばアルミニウム等の金属製であり、引き抜き加工または押し出し加工した後に切断されることにより製造されたものである。主梁部材１０の上端部には、上方が開口した取付部１１が形成され、取付部１１の下側には、幅方向中央部に設けた垂下部１２を介して上方が開口した第１凹溝１３が幅方向両側に形成され、各第１凹溝１３の下側には、第１実施形態の要部であるパネル支持片４０（図１参照）が取付けられる、開口が斜め下向きの取付け溝１４が形成され、各取付け溝１４の下側には幅方向に深さを有する側方が開口した第２凹溝１５が形成され、各第２凹溝１５の下側の下端部には副梁部材２０の端部２１を載置する載置部１６が突出形成されている（図１参照）。また、幅方向両側の載置部１６の間には、長手方向両端を除いて４方が壁で覆われた空洞部１７が設けられ、その空洞部１７を形成する底面１８の上側には、一対の対向片１９が形成されている。これら両対向片１９の対向面には、互いに高さ位置をずらして凹凸部１９ａが形成され（図４（ｂ）参照）、底面１８の両対向片１９の下側部分は、他の箇所よりも薄肉部１８ａとなっている。この薄肉部１８ａおよび両対向片１９は、ビス止め部として機能する。即ち、薄肉部１８ａの外側からビスの先端を手工具により押し付けつつ回転させると、そのビスにより薄肉部１８ａが破れてビスを通す円形の孔が形成され、両対向片１９の対向面に、互いに高さ位置をずらして形成された凹凸部１９ａにビスのねじ山が係合してビスが締結される。それ故に、ビス止め部として機能する。このビス止め部に取付けられたビスにより、例えば蛍光灯などの光源、間仕切り部材などが固定される。
【００１５】
かかる主梁部材１０は、天井に上端部が取付けられる棒状部材１２０の下端部に取付けたナット１２１を取付部１１に入れることで天井から吊り下げられる（図１参照）。
【００１６】
図５は、副梁部材２０を示す斜視図で、図６（ａ）はその副梁部材２０を示す正面図、図６（ｂ）はその右側面図である。
【００１７】
この副梁部材２０は、例えばアルミニウム等の金属製であり、引き抜き加工または押し出し加工した後に両端部分を凹凸状に切削加工する等により製造され、側面視および正面視で左右対称のものである。具体的には、図６（ｂ）に示すように、幅方向に離隔した一対の側壁２２、２３を有し、これら両側壁２２、２３の間の上部に天井板部２４が掛け渡され、両側壁２２、２３の下端には、幅方向両側に突出した状態で底板部２５が設けられた断面形状を有し、両側壁２２、２３の長手方向両端における上部には、外側に突出するとともに基端部が切り欠かれた鉤形の係止部２６が設けられている。また、底板部２５は、長手方向両端部分が切欠き長さＬ３で切り欠かれ、両側壁２２、２３の長手方向両端の下端２２ａ、２３ａ（前記２１に相当）がむき出し状態となっていて、その下端２２ａ、２３ａは、後述する載置面として機能する。更に、両側壁２２、２３には、所定高さ位置、つまり第２凹溝１５に対応する高さ位置に、第３凹溝２７が内側に突出させて設けられている。この第３凹溝２７は開口よりも内奥部の方が広い円弧状に形成され、その第３凹溝２７には、長手方向から連結棒３０が圧入されることで取付けられ、その連結棒３０は強い力を受けることで第３凹溝２７に対してスライド可能となっている。上記強い力とは、例えば第３凹溝２７の開口から叩き用の金属部材を差し入れて連結棒３０の一端に当接し、その金属部材をハンマー等により叩くときの力などが相当する。
【００１８】
次に、上述したように天井に吊り下げられた主梁部材１０の各部と副梁部材２０の各部の関連事項につき、図１および図２に基づき説明する。
【００１９】
副梁部材２０の鉤形の係止部２６は、主梁部材１０の上方が開口した第１凹溝１３に、上側から取付けられる。第１凹溝１３は開口側が内奥側よりも広いテーパー状に形成され、係止部２６の下側は、第１凹溝１３とは逆テーパー状に形成され、係止部２６の第１凹溝１３への取付け状態は、点接触ではなく線接触となるように設定されている。
【００２０】
かかる係止部２６の第１凹溝１３への取付け状態において、副梁部材２０の下端２２ａ、２３ａは、主梁部材１０の載置部１６に載置され、載置面として機能する。載置部１６は、底板部２５と同一厚みに形成されており、下端２２ａ、２３ａを載置部１６に載置すると、載置部１６と底板部２５の下面は面一となる。また、下端２２ａ、２３ａの長手方向長さ、つまり前記切欠き長さＬ３は、載置部１６の幅方向長さＬ４（図４（ａ）参照）にほぼ一致するように設定されており、下端２２ａ、２３ａを載置部１６に載置すると、載置部１６と底板部２５の間に殆ど隙間が無い状態となる。
【００２１】
また、係止部２６の第１凹溝１３への取付け状態において、主梁部材１０の第２凹溝１５と、副梁部材２０の第３凹溝２７との高さ位置が同一となるように設計されており、第３凹溝２７に取付けられた連結棒３０を、上述したようにハンマー等の叩き力にてスライドさせることにより、連結棒３０の先端部が第２凹溝１５に入り、かつ抜け出ないようになっている。
【００２２】
したがって、天井に吊り下げられた主梁部材１０の第１凹溝１３に、副梁部材２０の係止部２６を上側から取付けると、これに伴って下端２２ａ、２３ａが載置部１６に載置されるとともに、第２凹溝１５と第３凹溝２７の高さが同一となる。加えて、載置部１６と底板部２５の下面が面一になるとともに載置部１６と底板部２５の間に殆ど隙間が無い状態となる。その後、連結棒３０を手作業によりスライドさせると、連結棒３０の先端部が第２凹溝１５に入り、連結作業が終了する。
【００２３】
本実施形態の天井パネル用支持構造は、このようにして格子状に連結された梁構造に対し、上記パネル支持片４０が取付けられることで達成される。
【００２４】
上記パネル支持片４０は、図７に示すように一定幅の長尺のもので、長辺の一端側に断面が概略円弧状をした取付部４１が形成され、その取付部４１の外周部が長手方向に沿って平坦面となった切欠き部４２が形成されている。一方、このパネル支持片４０が取付けられる前記取付け溝１４は、図８に示すように開口１４ａが斜め下向きで、その開口１４ａよりも内奥部が広い円弧状に形成されている。なお、切欠き部４２の曲率半径と取付け溝１４の曲率半径とは、ほぼ同一となっている。
【００２５】
この取付け溝１４へのパネル支持片４０の取付けは、図８の左側に二点鎖線にて示すように、取付部４１を下側にしてパネル支持片４０を、第２姿勢としての起立姿勢Ｂとし、斜め上方Ｄに移動させて取付部４１を開口１４ａに挿入させる。この起立姿勢Ｂのとき、切欠き部４２は、取付け溝１４の開口１４ａを形成する開口幅方向の両縁部を結ぶ線分方向に対し、取付部４１の曲率中心Ｏと切欠き部４２とを結ぶ直径方向がほぼ平行となるような位置に形成しておく。そして、パネル支持片４０は、上記切欠き部４２と曲率中心Ｏとを結ぶ直径方向を開口１４ａの両縁部を結ぶ線分方向にほぼ平行となるようにして開口１４ａに挿入させる。即ち、切欠き部４２と曲率中心Ｏを通る直径寸法Ｌ１は他の部分よりも短く、かつ開口１４ａの幅寸法Ｌ２よりも少し短く設定されており、開口１４ａを通過させることが可能となっている。
【００２６】
その後、パネル支持片４０の取付部４１とは反対側を下方（矢印方向）に押して、第１姿勢としての水平姿勢Ｃとなるように揺動させることで、取付部４１が取付け溝１４に抜け防止状態に取付けられる。この水平姿勢Ｃのとき、前記切欠き部４２が開口１４ａの外側に位置する（外側に露出する）ように、取付部４１に形成しておく。即ち、取付部４１が取付け溝１４から抜け出ないようにし、かつ、切欠き部４２以外の断面円弧状の取付部４１と断面円弧状の空洞の取付け溝１４との接触面積を大きくして取付部４１を取付け溝１４が保持できる強度を増大化させるためである。
【００２７】
そして、図１に示すように水平姿勢Ｃとなったパネル支持片４０の上に、天井パネル２の縁部を載せてビス等により固定することで、天井パネル２が支持される。
【００２８】
したがって、第１実施形態の天井パネル用支持構造による場合には、パネル支持片４０の取付部４１が、断面概略円弧状に形成されていると共に、その一部外周に長手方向に沿って切欠き部４２が形成されているため、切欠き部４２を通る直径部分は、他の直径部分よりも短く、その短い直径部分を利用して開口１４ａを通すことが可能となる。そして、通した後は、長さが長い他の直径部分を利用することで、取付け溝１４の開口１４ａよりも広い内奥部に、パネル支持片４０の取付部４１を保持させ得る。このとき、取付部４１の曲率半径と取付け溝１４の内奥部の曲率半径とがほぼ同一であるので、パネル支持片４０を揺動させることに支障がない。よって、パネル支持片４０の取付部４１に設けた切欠き部４２を利用して取付け溝１４の開口１４ａを通すことで、パネル支持片４０の取付部４１を主梁部材１０の取付け溝１４に支持させ得るので、パネル支持片４０を主梁部材１０に作業性よく取付けでき、しかもクリーンルームの清浄性を向上させることができる。
【００２９】
なお、上述した第１実施形態では主梁部材にのみ設けた取付け溝にパネル支持片を支持させる構成としているが、本発明はこれに限らず、副梁部材にのみ取付け溝を設け、或いは主梁部材と副梁部材の両方に取付け溝を設けてパネル支持片を支持する構成としてもよい。
【００３０】
また、上述した第１実施形態では切欠き部を平坦面として形成しているが、本発明はこれに限らず、切欠き部を凹状に形成してもよく、或いはＬ２＞Ｌ１を確保した上で凸状に形成してもよい。
【００３１】
また、上述した第１実施形態では第２姿勢を起立姿勢としているが、本発明はこれに限らず、取付け溝の開口を向ける方向と、パネル支持片の取付部に設ける切欠き部の方向とに応じた角度で傾いた傾斜姿勢としてもよい。
【００３２】
（第２実施形態）
図９は本発明の第２実施形態に係る天井パネル用支持構造を適用する梁構造の連結部分を示す正面図であり、図１０はその梁構造に用いる主梁部材を示す外観斜視図、図１１は同じく副梁部材を示す外観斜視図、図１２（ａ）は副梁部材を示す正面図、図１２（ｂ）は副梁部材の右側面図、図１３はその梁構造に用いるロック部材を示す外観斜視図である。
【００３３】
この梁構造は、幅方向に間隔をあけて並設される主梁部材５０と、その主梁部材５０の隣り合うもの同士に両端部が連結される副梁部材６０と、主梁部材５０の上部と副梁部材６０の上部との間に揺動させて取付けられ、主梁部材５０と副梁部材６０との結合状態をロックするために用いられるロック手段としての断面Ｌ形のロック部材７０とを有する。
【００３４】
主梁部材５０は、図１０に示す左右対称の断面形状を全長にわたり有するとともに長手方向の両端面が凹凸の無い平面的な長尺のもので、例えばアルミニウム等の金属製であり、引き抜き加工または押し出し加工した後に切断されることにより製造されたものである。主梁部材５０の上端部には、上方が開口した取付部５１が形成され、取付部５１の下側には、幅方向中央部に設けた垂下部５２を介して上方が開口した上部凹溝５３が幅方向両側に形成され、各上部凹溝５３の下側には、第２実施形態の要部であるパネル支持片８０（図９参照）が取付けられる、開口が斜め下向きの取付け溝５４が形成され、各取付け溝５４の下側には垂下部５２ａと、上方が開口した下部凹溝５５とが形成され、各下部凹溝５５の下側の下端部には副梁部材６０の端部６１および天井パネル２（図９参照）を載置する載置部５６が突出形成されている。また、幅方向両側の載置部５６の間には、長手方向両端を除いて４方が壁で覆われた空洞部５７が設けられている。空洞部５７の下側部分は、他の箇所よりも薄い薄肉部５８ａとなっている。この薄肉部５８ａは、第１実施形態の薄肉部１８ａと同様なビス止め部として機能する。また、取付部５１の幅方向両端の下側には、下側に突出した係合部５１ａが形成されており、また垂下部５２ａの幅方向両側にはロック係止部５２ｂが形成されている。
【００３５】
かかる主梁部材５０は、第１実施形態と同様に、天井に上端部が取付けられる棒状部材１２０の下端部に取付けたナット１２１を取付部５１に入れることで天井から吊り下げられる（図９参照）。
【００３６】
上記副梁部材６０は、例えばアルミニウム等の金属製であり、引き抜き加工または押し出し加工した後に両端部分を凹凸状に切削加工する等により製造され、側面視および正面視で左右対称のものである。具体的には、図１１および図１２に示すように、上側には天井板部６２の幅方向両端に一対の側壁６３、６３を有し、天井板部６２の下側には垂下部６４が設けられ、垂下部６４の下側には中天井板部６５が設けられていて、中天井板部６５の幅方向両端の下側には側壁６６、６７が形成され、これら両側壁６６、６７の下端には、幅方向両側に突出した状態で底板部６８が設けられた断面形状を有する。垂下部６４の長手方向両端の高さ方向中間部は切欠かれていて、その切欠部６４ａの上部には、基端部が上側に切り欠かれて鉤形状に形成された上部係止部６９Ａが設けられている。また、底板部６８は、長手方向両端部分が切欠き長さＬ５で切り欠かれ、両側壁６６、６７の長手方向両端の下端６６ａ、６７ａ（前記６１に相当）がむき出し状態となっていて、その下端６６ａ、６７ａは、後述する載置面として機能する。その下端６６ａ、６７ａの長手方向端部には、下側が開口するように上側に切欠かれて鉤形状に形成された下部係止部６９Ｂ、６９Ｃが設けられている。
【００３７】
上記ロック部材７０は、図１３に示すように概略断面Ｌ形状に形成され、上端部７１は前記主梁部材５０の係合部５１ａに入る二股状に形成されており、下端部７２の先端には下側に突出した係合部７３が設けられている。このロック部材７０は、図９に示すように、係合部５１ａに上端部７１を係合させて、下端部７２で副梁部材６０の天井板部６２が上側へ移動するのを防止するもので、上端部７１〜下端部７２までの長さＬ８は所定値に設定されており、係合部７３は、後述するように垂下部５２と上部係止部６９Ａとの間に形成される隙間Ｌ７に入るようになっている。
【００３８】
次に、上述したように天井に吊り下げられる主梁部材５０の各部と副梁部材６０の各部の関連事項につき、図９に基づき説明する。
【００３９】
副梁部材６０の鉤形の上部係止部６９Ａは、主梁部材５０の上方が開口した上部凹溝５３に、上側から取付けられる。上部凹溝５３は開口側が内奥側よりも広いテーパー状に形成され、上部係止部６９Ａの下側は、上部凹溝５３とは逆テーパー状に形成され、上部係止部６９Ａの上部凹溝５３への取付け状態は、点接触ではなく線接触となるように設定されている。つまり、副梁部材６０の端部の上側を、ハンマー等で下側に向けて叩くと、上部係止部６９Ａのテーパー面６９Ａａと上部凹溝５３のテーパー面５３ａを介して上部係止部６９Ａが内奥まで入り込み可能となっている。
【００４０】
かかる上部係止部６９Ａの上部凹溝５３への取付けの際、これと同時に、副梁部材６０の鉤形の下部係止部６９Ｂ、６９Ｃは、主梁部材５０の上方が開口した下部凹溝５５の２箇所に、上側から取付けられる。下部凹溝５５は開口側が内奥側よりも広いテーパー状に形成され、下部係止部６９Ｂ、６９Ｃの下側は、下部凹溝５５とは逆テーパー状に形成され、下部係止部６９Ｂ、６９Ｃの下部凹溝５５への取付け状態は、線接触となるように設定されている。つまり、副梁部材６０の端部の上側をハンマー等で下側に向けて叩くと、下部凹溝５５のテーパー面５５ａと下部係止部６９Ｂ、６９Ｃの各テーパー面６９Ｂａ、６９Ｃａを介して下部係止部６９Ｂ、６９Ｃが内奥まで入り込み可能となっている。
【００４１】
また、下部係止部６９Ｂ、６９Ｃは、図９に示すように、前記空洞部５７を形成する側壁５７ａに当接またはそれに近い状態となり、上部係止部６９Ａは垂下部５２との間に隙間Ｌ７が形成される。この隙間Ｌ７は、垂下部５２と空洞部５７との幅方向寸法の違いにより形成されるものである。
【００４２】
また、上部係止部６９Ａの上部凹溝５３への取付け状態において、副梁部材６０の下端６６ａ、６７ａは、主梁部材５０の載置部５６に載置され、載置面として機能する。載置部５６は、底板部６８と同一厚みに形成されており、下端６６ａ、６７ａを載置部５６に載置すると、載置部５６と底板部６８の下面は面一となる。また、下端６６ａ、６７ａの長手方向長さ、つまり前記切欠き長さＬ５は、載置部５６の幅方向長さＬ６（図９参照）に一致するように設定されており、下端６６ａ、６７ａを載置部５６に載置すると、載置部５６と底板部６８の間に殆ど隙間が無い状態となる。
【００４３】
また、上部係止部６９Ａの上部凹溝５３への取付け状態において、主梁部材５０の係合部５１ａから副梁部材６０の天井板部６２までの距離が、ロック部材７０の前記長さＬ８とほぼ同一となるように設計されており、ロック部材７０の取付けは以下のように行われる。すなわち、図１４に示すようにロック部材７０の上端部７１を係合部５１ａに係合させ、下側の係合部７３を天井板部６２の上に当接するように取付ける。そして、ロック部材７０の下端側を白抜矢符に示すようにハンマー等で叩いて、係合部７３を前記隙間Ｌ７に入れる。これにより、上端部７１と係合部７３が固定されてロック部材７０が抜け防止されると共に、このロック部材７０の固定により副梁部材６０が上方へ移動した主梁部材５０との連結状態が非連結状態となるのを防止する。つまり、上部係止部６９Ａが上部凹溝５３に連結されている状態、および、下部係止部６９Ｂ、６９Ｃが下部凹溝５５に連結されている状態をロックする。
【００４４】
したがって、天井に幅方向に並設状態で吊り下げられた２つの主梁部材５０の上部凹溝５３に、副梁部材６０の上部係止部６９Ａを上側から取付けると、これに伴って下部凹溝５５に下部係止部６９Ｂ、６９Ｃが取付られる。加えて、載置部５６と底板部６８の下面が面一になるとともに載置部５６と底板部６８の間に殆ど隙間が無い状態となり、更に主梁部材５０の係合部５１ａと副梁部材６０の天井板部６２との間の距離がロック部材７０の長さＬ８とほぼ同一となる。なお、上部凹溝５３への上部係止部６９Ａの入り込みが浅い場合は、例えば副梁部材６０の長さ寸法に対して幅方向に並設された主梁部材同士の間の距離が少し長い場合は、ハンマー等で叩くことで上部係止部６９Ａが上部凹溝５３の内奥部へ入り込んだ状態とされる。このことは、下部係止部６９Ｂ、６９Ｃと下部凹溝５５との間でも同様に同時に起こる。その後、ロック部材７０の上端部７１を係合部５１ａに係合させ、下側の係合部７３を天井板部６２の上に当接するように取付け、その状態のロック部材７０の下側をハンマー等で叩いてロック部材７０を揺動させ、係合部７３を前記隙間Ｌ７に入れてロック部材７０を固定させると、連結作業が終了する。
【００４５】
第２実施形態の天井パネル用支持構造は、このようにして格子状に連結された梁構造に対し、上記パネル支持片８０が取付けられることで達成される。
【００４６】
上記パネル支持片８０は、図９および図１５に示すように断面Ｌ形状の長尺のもので、幅方向一端側に断面が概略円弧状をした取付部８１が形成され、その取付部８１の外周部が長手方向に沿って切欠き部８２が形成されており、取付部８１とは反対側が、天井パネル２の縁部を下側に押付ける押付け部８４となっている。また、曲折方向とは反対の外側には固定用の鉤状部８３が設けられている。一方、このパネル支持片８０が取付けられる前記取付け溝５４は、図１６に示すように開口５４ａが斜め下向きで、その開口５４ａよりも内奥部が広い円弧状に形成されている。
【００４７】
この取付け溝５４へのパネル支持片８０の取付けは、図１６に一点鎖線にて示すように、押付け部８４を上側にしてパネル支持片８０を起立姿勢Ｅとし、斜め上方Ｆに移動させて取付部８１を開口５４ａに挿入させる。この起立姿勢Ｅのとき、切欠き部８２は、取付け溝５４の開口５４ａを形成する開口幅方向の両縁部を結ぶ線分方向に対し、取付部８１の曲率中心Ｏと切欠き部８２とを結ぶ直径方向がほぼ平行となるように形成しておく。そして、パネル支持片８０は、上記切欠き部８２と曲率中心Ｏとを結ぶ直径方向を開口５４ａの両縁部を結ぶ線分方向にほぼ平行な状態として開口５４ａに挿入させる。即ち、切欠き部８２と曲率中心Ｏを通る直径寸法Ｌ９は他の部分よりも短く、かつ開口５４ａの幅寸法Ｌ１０よりも少し短く設定されており、開口５４ａを通過させることが可能となっている。
【００４８】
その後、パネル支持片８０の押付け部８４を下方（矢印方向）に押して水平姿勢Ｇとなるように揺動させることで、取付部８１が取付け溝５４に抜け防止状態に取付けられる。また、鉤状部８３をロック係止部５２ｂに係止させることで、水平姿勢Ｇを保持するようにする。この水平姿勢Ｇのとき、前記切欠き部８２が開口５４ａの外側に位置する（外側に露出する）ように、取付部８１に形成しておく。即ち、取付部８１が取付け溝５４から抜け出ないようにし、かつ、切欠き部８２以外の断面円弧状の取付部８１と断面円弧状の空洞の取付け溝５４との接触面積を大きくして取付部８１を取付け溝５４が保持できる強度を増大化させるためである。
【００４９】
そして、図９に示すように水平姿勢Ｇとなったパネル支持片８０の押付け部８４が、載置部５６及び底板部６８の上に配置された天井パネル２の縁部を、その上側から押圧することで、天井パネル２の縁部が第２実施形態の天井パネル用支持構造に支持される。なお、押付け部８４は、天井パネル２の縁部を押圧しなくてもよく、天井パネル２の縁部が浮き上がらない状態で接触またはそれに近い非接触状態となるようにしてもよい。
【００５０】
したがって、第２実施形態の天井パネル用支持構造による場合には、パネル支持片８０の取付部８１が、断面概略円弧状に形成されていると共に、その一部外周に長手方向に沿って切欠き部８２が形成されているため、切欠き部８２を通る直径部分は、他の直径部分よりも短く、その短い直径部分を利用して開口５４ａを通すことが可能となる。そして、通した後は、長さが長い他の直径部分を利用することで、取付け溝５４の開口５４ａよりも広い内奥部に、パネル支持片８０の取付部８１を保持させ得る。このとき、取付部８１の曲率半径と取付け溝５４の内奥部の曲率半径とがほぼ同一であるので、パネル支持片８０を揺動させることに支障がない。よって、パネル支持片８０の取付部８１に設けた切欠き部８２を利用して取付け溝５４の開口５４ａを通すことで、パネル支持片８０の取付部８１を主梁部材５０の取付け溝５４に支持させ得るので、パネル支持片８０を主梁部材５０に作業性よく取付けでき、しかもクリーンルームの清浄性を向上させることができる。
【００５１】
（第３実施形態）
上述した第２実施形態では取付け溝５４にパネル支持片８０を取付け（図１０参照）、パネル支持片８０にてパネル２を支持する構成としているが、第３実施形態においては、取付け溝５４を利用してロック部材およびパネル支持片を取付けるように構成している。
【００５２】
図１７は本発明の第３実施形態に係る天井パネル用支持構造を適用する梁構造の連結部分を示す断面図であり、図１８は図１７のＨ部分を拡大して示す図、図１９は上記梁構造に用いる主梁部材を示す外観斜視図、図２０は同じく副梁部材を示す外観斜視図、図２１（ａ）は副梁部材を示す正面図、図２１（ｂ）は副梁部材の右側面図、図２２（ａ）は上記梁構造に用いるロック部材を示す正面図、図２２（ｂ）はロック部材を示す左側面図、図２３は第３実施形態の天井パネル用支持構造に用いるパネル支持片を示す正面図である。
【００５３】
本実施形態における主梁部材５０Ａは、第２実施形態の主梁部材５０における垂下部５２ａに設けていたロック係止部５２ｂが省略され、空洞部５７の上面における幅方向両側にロック係止部５２ｂ’が設けられていて、他の部分は第２実施形態の主梁部材５０と同一構成となっている（図１７〜図１９参照）。また、この主梁部材５０Ａ同士の連結も第２実施形態と同様にして行われている。
【００５４】
また、本実施形態における副梁部材６０Ａは、第２実施形態の副梁部材６０における垂下部６４に設けている切欠部６４ａが概略矩形状に形成されているのに対し、下側が広い概略三角形状の切欠部６４ａ’となっている点を除いて、他の部分が第２実施形態の副梁部材６０と同一に構成されている（図２０および図２１参照）。
【００５５】
更に、第３実施形態においては、主梁部材５０Ａの取付け溝（第３実施形態では第５凹溝）５４には、副梁部材６０Ａを連結する箇所にロック部材７５が取付けられ、パネル２を支持する箇所にパネル支持片８５が取付けられる。なお、図１７においては、主梁部材５０Ａの一方（図右側）の取付け溝５４にロック部材７５を、主梁部材５０Ａの他方（図左側）の取付け溝５４にパネル支持片８５を取付けた状態を示しているが、ロック部材７５とパネル支持片８５の取付け位置は、並設された２つの主梁部材５０Ａと、これらに両端が連結された２つの隣り合う副梁部材６０Ａとで矩形状に囲まれた部分にパネル２が配設される故に、異なる位置とされる。
【００５６】
上記ロック部材７５は、図２２に示すように断面Ｌ形状の長尺のもので、一端側（図上側）に断面が概略円弧状をした取付部７６が形成され、その取付部７６の外周部が長手方向に沿って切欠き部７７が形成されている。なお、切欠き部７７と曲率中心Ｏを通る直径寸法Ｌ９は他の部分よりも短く、かつ開口５４ａの幅寸法Ｌ１０（図１７参照）よりも少し短く設定されており、開口５４ａを通過させることが可能となっている。
【００５７】
また、ロック手段７５の他端側（図下側）には固定用の鉤状部７８が設けられており、長さ方向の中央部には逃げ溝７９が形成されている。この逃げ溝７９は、切欠部６４ａ’の下辺部６４ｂとの接触を避けるために設けられている（図２０および図２４参照）。一方、このロック部材７５が取付けられる取付け溝５４は、図１７に示すように開口５４ａが斜め下向きで、その開口５４ａよりも内奥部が広い円弧状に形成されている。
【００５８】
この取付け溝５４へのロック部材７５の取付けは、副梁部材６０Ａの端部が連結される箇所において、第２実施形態におけるパネル支持片８０と同様に行われ、二点鎖線で示すように取付けられる。その後、ロック部材７５を、その下端側が主梁部材５０Ａに近づくように揺動させ、実線にて示すように鉤状部７８をロック係止部５２ｂ’に係止させる（図１８参照）。これにより、図２４に示すようにロック部材７５の下端が、副梁部材６０Ａの端部における中天井板部６５を下向きに押付け、かつ逃げ溝７９に下辺部６４ｂが入る。その結果、ロック部材７５が副梁部材６０Ａの上側への移動を防止する、つまり第１凹溝５３、５５に係止部６９Ａ、６９Ｂ、６９Ｃが係止した状態をロックするようになり、副梁部材６０Ａが主梁部材５０Ａに連結される。
【００５９】
パネル支持片８５は、図２３に示すように断面Ｌ形状の長尺のもので、一端側（図上側）に断面が概略円弧状をした取付部８６が形成され、その取付部８６の外周部が長手方向に沿って切欠き部８７が形成されている。なお、切欠き部８７と曲率中心Ｏを通る直径寸法Ｌ９は他の部分よりも短く、かつ開口５４ａの幅寸法Ｌ１０よりも少し短く設定されており（図１７参照）、開口５４ａを通過させることが可能となっている。また、曲折方向にはパネル押さえ部８８が形成され、曲折方向とは反対側には固定用の鉤状部８９が設けられている。
【００６０】
このパネル支持片８５は、隣り合う２つの副梁部材６０Ａの各端部が主梁部材５０Ａに連結される部分を避けた箇所において、前記取付け溝５４に第２実施形態のパネル支持片８０と同様にして取付けられることで（但し、図１８に示すように鉤状部８９がロック係止部５２ｂ’に係止される）、図１７に示すように載置部５６及び底板部６８の上に配置された天井パネル２の縁部を、その上側から押圧する。これにより、天井パネル２が本実施形態の天井パネル用梁構造に支持される。
【００６１】
したがって、この第３実施形態による場合にも、第２実施形態と同様な効果が得られることは勿論である。
【００６２】
なお、上述した第３実施形態では取付け溝５４を、ロック部材７５および第２連結棒３１の取付けに共用する構成としているが、本発明はこれに限らず、ロック部材７５を取付ける取付け溝と、第２連結棒３１を取付ける取付け溝とを別々に設けた構成としてもよい。
【００６３】
なお、上述した第２、第３実施形態では主梁部材にのみ設けた取付け溝にパネル支持片を支持させる構成としているが、本発明はこれに限らず、副梁部材にのみ取付け溝を設け、或いは主梁部材と副梁部材の両方に取付け溝を設けてパネル支持片を支持する構成としてもよい。
【００６４】
また、上述した第２、第３実施形態ではパネル支持片の切欠き部を平坦面として形成しているが、本発明はこれに限らず、切欠き部を凹状に形成してもよく、或いはＬ１０＞Ｌ９を確保した上で凸状に形成してもよい。
【００６５】
また、上述した第２、第３実施形態では第２姿勢を起立姿勢としているが、本発明はこれに限らず、取付け溝の開口を向ける方向と、パネル支持片の取付部に設ける切欠き部の方向とに応じた角度で傾いた傾斜姿勢としてもよい。
【００６６】
【発明の効果】
以上詳述したように、本発明による場合には、パネル支持片の一端側に設けられた取付部は、断面概略円弧状に形成されていると共に、その一部外周に長手方向に沿って、上記梁部材に設けられた円弧状をした取付け溝の開口を通すための切欠き部が形成されている。このため、切欠き部を通る直径部分は、他の直径部分よりも短く、その短い直径部分を利用して取付け溝の開口を通すことが可能となる。そして、通した後は、長さが長い他の直径部分を利用することで、取付け溝の開口よりも広い内奥部に、パネル支持片の取付部を保持させ得る。このとき、取付部の曲率半径と取付け溝の内奥部の曲率半径とがほぼ同一であるので、パネル支持片を揺動させることに支障がない。よって、パネル支持片の取付部に設けた切欠き部を利用して取付け溝の開口を通すことで、パネル支持片の取付部を梁部材の取付け溝に支持させ得るので、パネル支持片を梁部材に作業性よく取付けでき、しかもクリーンルームなどでの清浄性を向上させることができる。
【図面の簡単な説明】
【図１】本発明の第１実施形態に係る天井パネル用支持構造を適用する梁構造の連結部分を示す断面図である。
【図２】本発明の第１実施形態に係る天井パネル用支持構造を適用する梁構造の組立状態を説明するための図（斜視図）である。
【図３】本発明の第１実施形態に係る天井パネル用支持構造を適用する梁構造に用いられる主梁部材を示す斜視図である。
【図４】（ａ）は図３の主梁部材の左端面を示す側面図、（ｂ）はその主梁部材の下部部分Ａを拡大して示す側面図である。
【図５】本発明の第１実施形態に係る天井パネル用支持構造を適用する梁構造に用いられる副梁部材を示す斜視図である。
【図６】（ａ）は図５の副梁部材を示す正面図、（ｂ）はその右側面図である。
【図７】本発明の第１実施形態に係る天井パネル用支持構造に用いられるパネル支持片を示す斜視図である。
【図８】図７のパネル支持片の取付け方と各部寸法を示す図である。
【図９】本発明の第２実施形態に係る天井パネル用支持構造を適用する梁構造の連結部分を示す正面図である。
【図１０】本発明の第２実施形態の天井パネル用支持構造を適用する梁構造に用いる主梁部材を示す外観斜視図である。
【図１１】本発明の第２実施形態の天井パネル用支持構造を適用する梁構造に用いる副梁部材を示す外観斜視図である。
【図１２】（ａ）は本発明の第２実施形態の天井パネル用支持構造を適用する梁構造に用いる副梁部材を示す正面図、（ｂ）は副梁部材の右側面図である。
【図１３】本発明の第２実施形態の天井パネル用支持構造を適用する梁構造に用いるロック部材を示す外観斜視図である。
【図１４】本発明の第２実施形態に係る天井パネル用支持構造を適用する梁構造に用いられるロック部材の取付け方を説明するための図である。
【図１５】本発明の第２実施形態に係る天井パネル用支持構造に用いられるパネル支持片を示す斜視図である。
【図１６】図１５のパネル支持片の取付け方と各部寸法を示す図である。
【図１７】本発明の第３実施形態に係る天井パネル用支持構造に適用する梁構造の連結部分を示す断面図である。
【図１８】図１７のＨ部分を拡大して示す図である。
【図１９】本発明の第３実施形態の天井パネル用支持構造に適用する梁構造に用いる主梁部材を示す外観斜視図である。
【図２０】本発明の第３実施形態の天井パネル用支持構造に適用する梁構造に用いる副梁部材を示す外観斜視図である。
【図２１】（ａ）は副梁部材を示す正面図、（ｂ）は副梁部材の右側面図である。
【図２２】（ａ）は本発明の第３実施形態の天井パネル用支持構造に適用する梁構造に用いるロック部材を示す正面図、（ｂ）はロック部材を示す左側面図である。
【図２３】本発明の第３実施形態の天井パネル用支持構造に用いるパネル支持片を示す斜視図である。
【図２４】本発明の第３実施形態のロック部材が副梁部材を押付けた状態を示す図である。
【符号の説明】
１　梁構造
２　天井パネル
１０、５０、５０Ａ　主梁部材
１４、５４　取付け溝
１４ａ、５４ａ　開口
２０、６０、６０Ａ　副梁部材
４０、８０、８５　パネル支持片
４１、８１、８６　取付部
４２、８２、８７　切欠き部
【図１】
2004003253.tif 000003
【図２】
2004003253.tif 000004
【図３】
2004003253.tif 000005
【図４】
2004003253.tif 000006
【図５】
2004003253.tif 000007
【図６】
2004003253.tif 000008
【図７】
2004003253.tif 000009
【図８】
2004003253.tif 000010
【図９】
2004003253.tif 000011
【図１０】
2004003253.tif 000012
【図１１】
2004003253.tif 000013
【図１２】
2004003253.tif 000014
【図１３】
2004003253.tif 000015
【図１４】
2004003253.tif 000016
【図１５】
2004003253.tif 000017
【図１６】
2004003253.tif 000018
【図１７】
2004003253.tif 000019
【図１８】
2004003253.tif 000020
【図１９】
2004003253.tif 000021
【図２０】
2004003253.tif 000022
【図２１】
2004003253.tif 000023
【図２２】
2004003253.tif 000024
【図２３】
2004003253.tif 000025
【図２４】
2004003253.tif 000026